(57)【要約】【課題】所定の対象物に最適な稼働目標値を算出することができ、所定の対象物に向けて、削減が必要な稼働量を定量的に把握することができる情報を、継続して提供する稼働状態表示システムを提供する。【解決手段】対象物４０の稼働実績データと稼働支配データを公衆回線網を通じ対象物から所定の時間間隔毎に取得するデータ取得部１０と、稼働支配データを用い回帰分析を行い、稼働支配データを説明変数、稼働標準データを被説明変数とする回帰式を導出し、回帰式に対し所定期間内の稼働支配データを当てはめ、所定期間内の単位時間毎の稼働標準データを算出し、稼働標準データに対応する稼働目標データを算出するデータ算出部１０と、データ取得部で取得した稼働実績データとデータ算出部で算出した稼働目標データとのずれを示す差分をグラフ表示するグラフ表示用データを、公衆回線網を通じ対象物へ提供するデータ提供部１０とを備える。【選択図】図１
2010108092.tif 000002
【特許請求の範囲】
【請求項１】
所定の対象物の単位時間毎の稼働実績データ及び該稼働実績データを支配する前記単位時間毎の稼働支配データを、公衆回線網を通じて前記対象物から所定の時間間隔毎に取得するデータ取得部と、
前記データ取得部によって取得した前記稼働支配データを用いて回帰分析を行うことにより、該稼働支配データを説明変数とし、前記対象物の稼働標準データを被説明変数とする回帰式を導出すると共に、該回帰式に対して所定期間内における前記稼働支配データを当てはめることにより、該所定期間内における前記単位時間毎の前記稼働標準データを算出し、さらに該稼働標準データに対応する稼働目標データを算出するデータ算出部と、
前記データ取得部によって取得した前記稼働実績データと前記データ算出部によって算出した前記稼働目標データとのずれを示す差分をグラフ表示するグラフ表示用データを、前記公衆回線網を通じて前記所定の時間間隔毎に前記対象物へ提供するデータ提供部と、
を備えることを特徴とする稼働状態表示システム。
【請求項２】
前記データ提供部は、前記稼働実績データと、前記稼働目標データと、前記稼働実績データと前記稼働目標データとの差分データと、に基づいて、前記対象物の稼働実績値のグラフ表示色を設定する稼働実績値表示色データと、前記対象物の稼働目標値のグラフ表示色を設定する稼働目標値表示色データと、前記稼働目標値と前記稼働実績値との差分のグラフ表示色を設定する差分表示色データと、をそれぞれ生成する表示色データ生成部を備え、
前記表示色データ生成部は、前記対象物に、前記グラフ表示用データとして、前記差分のグラフ表示色を前記稼働目標値のグラフ表示色及び前記稼働実績値のグラフ表示色とはそれぞれ異なる表示色に設定した前記差分表示色データを提供することを特徴とする請求項１に記載の稼働状態表示システム。
【請求項３】
前記データ算出部は、前記単位時間毎に、前記稼働標準データから削減目標データをそれぞれ減算する処理を行うことにより、該単位時間毎に前記稼働目標データを算出することを特徴とする請求項１又は２に記載の稼働状態表示システム。
【請求項４】
前記所定の対象物は工場であって、
前記稼働支配データは、
前記工場に設置された生産ラインにおける生産実績データと、
前記工場における温度及び湿度を含む気象データと、
春秋期と夏期と冬期との内からいずれの季節であるかを判別する季節判別データと、を有する
ことを特徴とする請求項１ないし３のいずれかに記載の稼働状態表示システム。
【請求項５】
前記稼働実績データは、前記生産ラインにおける消費電力実績データであって、
前記稼働標準データは、前記生産ラインにおける標準消費電力データであると共に、前記稼働目標データは、前記生産ラインにおける目標消費電力データであることを特徴とする請求項４に記載の稼働状態表示システム。
【発明の詳細な説明】
【技術分野】
【０００１】
この発明は、所定の対象物の稼働状態に関する情報を該所定の対象物に提供する稼働状態表示システムに関する。
【背景技術】
【０００２】
例えば、特許文献１には、省エネルギー効果の目標を達成するための管理情報を提供するサービスを行うエネルギー管理システムが開示されている。特許文献１のエネルギー管理システムは、通信手段を使用して、エネルギー消費量を計測する計測手段から該エネルギー消費量を示すエネルギーデータを収集するデータ収集手段と、前記データ収集手段により収集されたエネルギーデータを保存する記憶手段と、前記記憶手段に保存されたエネルギーデータを使用して、省エネルギー効果の目標値に基づいて前記省エネルギー効果を評価するための評価値を算出する演算手段と、前記演算手段により算出された評価値を、指定の情報表示形式に変換して提供する情報提供手段とを備えている。
【０００３】
特許文献１のエネルギー管理システムでは、上記の目標値として、エネルギー消費量の実績値とエネルギー削減率の目標値との乗算結果により、エネルギー削減量の目標値が設定される。さらに、１日当たりの上記の評価値として、省エネルギー対策を行った１日のエネルギー消費量の実績値と、省エネルギー対策を行わなかった１日のエネルギー消費量の実績値とを比較することにより、省エネルギー率が算出される。その後、上記の計測手段が設けられたビルの管理用端末に向けて、前記省エネルギー率を含む省エネルギー効果の管理情報が、表形式やグラフ形式で提供される。これにより、省エネルギー効果の管理情報を、上記の管理用端末のディスプレを通じて閲覧することができる。
【特許文献１】特開２００８−１０２７０９号公報
【発明の開示】
【発明が解決しようとする課題】
【０００４】
しかしながら、上記のエネルギー管理システムでは、エネルギー消費量の実績値とエネルギー削減率の目標値との乗算結果により、エネルギー削減量の目標値が設定されているものの、一般に、エネルギーの消費量は、温度や湿度等を含む様々な要因によって変動する。このため、エネルギー消費量の実績値とエネルギー削減率の目標値との乗算結果により、エネルギー削減量の目標値を設定するだけでは、上記の様々な要因を考慮してエネルギー削減量の目標値が設定されていないため、該エネルギー削減量の目標値を考慮した目標消費電力量によって示される稼働目標値が、最適な値に設定されているとは言い難かった。
【０００５】
さらに、上記のエネルギー管理システムでは、上述したように、管理用端末に向けて省エネルギー率（省エネルギー効果の管理情報）を提供することができるが、上記のディスプレイによって省エネルギー率を閲覧するだけでは、削減が必要なエネルギー消費量を直接的に閲覧することができないため、削減が必要なエネルギー消費量を一例とした削減が必要な稼働量を定量的に把握することが困難であった。
【０００６】
また、エネルギー消費量の削減の効果を上げるためには、エネルギーを消費しているビル等の所定の対象物に対し、上記の削減が必要な稼働量に関する情報を、継続して提供することが望まれる。
【０００７】
この発明は、このような状況に鑑み提案されたものであって、診断対象である所定の対象物に最適な稼働目標値を算出することができると共に、前記所定の対象物に向けて、削減が必要な稼働量を定量的に把握することができる情報を、継続して提供することができる稼働状態表示システムを提供することを目的とする。
【課題を解決するための手段】
【０００８】
請求項１の発明に係る稼働状態表示システムは、所定の対象物の単位時間毎の稼働実績データ及び該稼働実績データを支配する前記単位時間毎の稼働支配データを、公衆回線網を通じて前記対象物から所定の時間間隔毎に取得するデータ取得部と、前記データ取得部によって取得した前記稼働支配データを用いて回帰分析を行うことにより、該稼働支配データを説明変数とし、前記対象物の稼働標準データを被説明変数とする回帰式を導出すると共に、該回帰式に対して所定期間内における前記稼働支配データを当てはめることにより、該所定期間内における前記単位時間毎の前記稼働標準データを算出し、さらに該稼働標準データに対応する稼働目標データを算出するデータ算出部と、前記データ取得部によって取得した前記稼働実績データと前記データ算出部によって算出した前記稼働目標データとのずれを示す差分をグラフ表示するグラフ表示用データを、前記公衆回線網を通じて前記所定の時間間隔毎に前記対象物へ提供するデータ提供部と、を備えることを特徴とする。
請求項１の発明に係る稼働状態表示システムによれば、データ算出部は、公衆回線網を通じてデータ取得部により、所定の対象物から取得した単位時間毎の稼働支配データを用いた回帰分析によって、該稼働支配データを説明変数とし、前記対象物の稼働標準データを被説明変数とする回帰式を導出すると共に、該回帰式に対して所定期間内における前記稼働支配データを当てはめることにより、該所定期間内における単位時間毎の稼働標準データを算出する。これにより、所定の対象物の単位時間毎の稼働実績データを支配する所定期間内における前記単位時間毎の稼働支配データを考慮した上で、データ算出部は、回帰分析によって、前記所定期間内における単位時間毎の稼働標準データを算出する。このため、回帰分析によって導出される回帰式は、上記の稼働支配データと稼働標準データとの関係を表現したものになる。したがって、データ算出部が、上記の回帰式によって稼働標準データを算出することにより、上記の対象物に即した最適な稼働標準データを算出することができる。
さらに、データ算出部は、上記の稼働標準データに対応する稼働目標データを算出するため、稼働標準データと同様に、前記対象物に即した最適な稼働目標データを算出することができる。
加えて、データ提供部は、前記稼働実績データと前記稼働目標データとのずれを示す差分をグラフ表示するグラフ表示用データを、公衆回線網を通じて所定の時間間隔毎に前記対象物へ提供するため、該グラフ表示用データによってグラフ表示された差分に基づいて、稼働目標データと稼働実績データとのずれを判別することができる。このため、稼働目標データと稼働実績データとのずれを判別することにより、該ずれに相当する削減が必要な稼働量を定量的に把握することができる。
さらに加えて、上記のように、グラフ表示された差分に基づいて、削減が必要な稼働量を定量的に把握することができるため、上記のグラフ表示用データが公衆回線網を通じて前記対象物へ所定の時間間隔毎に提供されることに伴って、削減が必要な稼働量を把握することができるグラフ表示に必要なグラフ表示データを、上記の対象物に向けて、継続して提供し続けることが可能になる。
【０００９】
請求項２の発明は、請求項１において、前記データ提供部は、前記稼働実績データと、前記稼働目標データと、前記稼働実績データと前記稼働目標データとの差分データと、に基づいて、前記対象物の稼働実績値のグラフ表示色を設定する稼働実績値表示色データと、前記対象物の稼働目標値のグラフ表示色を設定する稼働目標値表示色データと、前記稼働目標値と前記稼働実績値との差分のグラフ表示色を設定する差分表示色データと、をそれぞれ生成する表示色データ生成部を備え、前記表示色データ生成部は、前記対象物に、前記グラフ表示用データとして、前記差分のグラフ表示色を前記稼働目標値のグラフ表示色及び前記稼働実績値のグラフ表示色とはそれぞれ異なる表示色に設定した前記差分表示色データを提供することを特徴とする。
請求項２の発明によれば、表示色データ生成部は、前記対象物に、前記グラフ表示用データとして、稼働目標値と稼働実績値との差分のグラフ表示色を前記稼働目標値のグラフ表示色及び前記稼働実績値のグラフ表示色とはそれぞれ異なる表示色に設定した差分表示色データを提供するため、差分表示色データを用いることにより、稼働目標値のグラフ表示色及び稼働実績値のグラフ表示色とはそれぞれ異なる表示色により、前記差分をグラフ表示することが可能になる。このため、差分のグラフ表示に特有の表示色に基づいて、稼働実績値のグラフ表示と稼働目標値のグラフ表示と差分のグラフ表示との内から、該差分のグラフ表示を容易に判別することが可能になる。
【００１０】
請求項３の発明は、請求項１又は２において、前記データ算出部は、前記単位時間毎に、前記稼働標準データから削減目標データをそれぞれ減算する処理を行うことにより、該単位時間毎に前記稼働目標データを算出することを特徴とする。
請求項３の発明によれば、データ算出部が、単位時間毎に、稼働標準データから削減目標データをそれぞれ減算することにより、稼働目標データが算出される。このため、削減目標データを適宜に変更することにより、データ算出部が、単位時間毎に、異なる稼働目標データを算出することが可能になる。これにより、単位時間毎の稼働目標データを一律に同一の値に設定する場合とは異なり、単位時間毎の稼働標準データに即して、単位時間毎に、稼働目標データを変化させることができる。
【００１１】
請求項４の発明は、請求項１ないし３のいずれかにおいて、前記所定の対象物は工場であって、前記稼働支配データは、前記工場に設置された生産ラインにおける生産実績データと、前記工場における温度及び湿度を含む気象データと、春秋期と夏期と冬期との内からいずれの季節であるかを判別する季節判別データと、を有することを特徴とする。
請求項４の発明によれば、所定の対象物は工場であって、稼働支配データは、工場に設置された生産ラインの生産実績データと、該工場の気象データと、季節判別データとを有する。これにより、稼働支配データとして、前記生産ラインの稼働状態に影響を与えると想定される生産実績データ、気象データ及び季節判別データをそれぞれ選択したため、上記のデータ算出部は、生産ラインの稼働状態に影響を与えると想定されるデータを考慮した上で、回帰分析により、上記の稼働標準データを算出することができると共に、上記の稼働目標データを算出することができる。したがって、生産ラインの稼働状態に影響を与えると想定されるデータに即して、稼働標準データ及び稼働目標データを変化させることができる。
【００１２】
請求項５の発明は、請求項４において、前記稼働実績データは、前記生産ラインにおける消費電力実績データであって、前記稼働標準データは、前記生産ラインにおける標準消費電力データであると共に、前記稼働目標データは、前記生産ラインにおける目標消費電力データであることを特徴とする。
請求項５の発明によれば、稼働実績データが、生産ラインにおける消費電力実績データであって、稼働標準データは、生産ラインにおける標準消費電力データであると共に、稼働目標データが、生産ラインにおける目標消費電力データであるため、上記のデータ提供部によって、前記生産ラインが設置された工場に向けて、目標消費電力データと消費電力実績データとの差分をグラフ表示するグラフ表示用データを、公衆回線網を通じて所定の時間間隔毎に提供することができる。このため、工場に提供されたグラフ表示用データによってグラフ表示された差分に基づいて、該工場において、稼働実績データと稼働目標データとのずれを継続的に判別することにより、該ずれに相当する削減が必要な消費電力データ（消費電力量）を定量的に把握することができる。
さらに、上記のように、グラフ表示された差分に基づいて、削減が必要な消費電力データを定量的に把握することができるため、上記のグラフ表示用データが公衆回線網を通じて前記工場へ所定の時間間隔毎に提供されることに伴って、削減が必要な消費電力データを把握することができるグラフ表示に必要なグラフ表示データを、上記の工場に向けて、継続して提供し続けることが可能になる。
【発明の効果】
【００１３】
本発明の稼働状態表示システムによれば、データ算出部は、公衆回線網を通じてデータ取得部により、所定の対象物から取得した単位時間毎の稼働支配データを用いた回帰分析によって、該稼働支配データを説明変数とし、前記対象物の稼働標準データを被説明変数とする回帰式を導出すると共に、該回帰式に対して所定期間内における前記稼働支配データを当てはめることにより、該所定期間内における単位時間毎の稼働標準データを算出する。これにより、所定の対象物の単位時間毎の稼働実績データを支配する所定期間内における前記単位時間毎の稼働支配データを考慮した上で、データ算出部は、回帰分析によって、前記所定期間内における単位時間毎の稼働標準データを算出する。このため、回帰分析によって導出される回帰式は、上記の稼働支配データと稼働標準データとの関係を表現したものになる。したがって、データ算出部が、上記の回帰式によって稼働標準データを算出することにより、上記の対象物に即した最適な稼働標準データを算出することができる。
さらに、データ算出部は、上記の稼働標準データに対応する稼働目標データを算出するため、稼働標準データと同様に、前記対象物に即した最適な稼働目標データを算出することができる。
加えて、データ提供部は、前記稼働実績データと前記稼働目標データとのずれを示す差分をグラフ表示するグラフ表示用データを、公衆回線網を通じて所定の時間間隔毎に前記対象物へ提供するため、該グラフ表示用データによってグラフ表示された差分に基づいて、稼働目標データと稼働実績データとのずれを判別することができる。このため、稼働目標データと稼働実績データとのずれを判別することにより、該ずれに相当する削減が必要な稼働量を定量的に把握することができる。
さらに加えて、上記のように、グラフ表示された差分に基づいて、削減が必要な稼働量を定量的に把握することができるため、上記のグラフ表示用データが公衆回線網を通じて前記対象物へ所定の時間間隔毎に提供されることに伴って、削減が必要な稼働量を把握することができるグラフ表示に必要なグラフ表示データを、上記の対象物に向けて、継続して提供し続けることが可能になる。
【発明を実施するための最良の形態】
【００１４】
本発明の実施形態を、図１ないし図４を参照しつつ説明する。図１は、本実施形態の生産ライン稼働状態表示システム１の概略構成図である。生産ライン稼働状態表示システム１は、生産ライン稼働状態表示用サーバ１０と、モデム２０と、公衆回線網３０と、工場４０に設置された生産管理システム用サーバ５０と、データベースＤＢと、利用者端末６０とを備えている。なお、生産ライン稼働状態表示システム１は、本発明の稼働状態表示システムの一例である。
【００１５】
生産ライン稼働状態表示用サーバ１０は、モデム２０を介し、公衆回線網３０に接続されている。さらに、公衆回線網３０には、生産管理システム用サーバ５０が接続されている。公衆回線網３０の一例としては、電話回線が挙げられる。
【００１６】
生産管理システム用サーバ５０には、データベースＤＢが接続されている。本実施形態では、データベースＤＢに、後述する工場４０に設置された生産ラインでの製品の生産実績データを始めとする２３種類のデータ（図３中の符号Ｘ１ないし符号Ｘ２３参照。）が記憶されている。データベースＤＢには、日付けと関連付けて、２３種類のデータが記憶されている。生産管理システム用サーバ５０は、予め工場４０内に設置されて、該工場４０内の生産ラインの生産管理を行うものである。生産管理システム用サーバ５０は、製品の生産実績に関連があると想定した各種のデータを管理している。生産管理システム用サーバ５０には、上記のデータベースＤＢに加えて、利用者端末６０が接続されている。なお、工場４０は、本発明の所定の対象物の一例であり、上記の日付けは、本発明の単位時間の一例である。
【００１７】
図２に示すように、生産ライン稼働状態表示用サーバ１０は、データ取得部１１と、データ記憶部１２と、演算処理部１３と、データ提供部１４とを備えている。データ取得部１１は、上記のモデム２０及び演算処理部１３に接続されている。演算処理部１３によって、データ取得部１１には、定期的にデータ取得指令信号が送信される。データ取得部１１は、データ取得指令信号を受信すると、モデム２０、公衆回線網３０及び生産管理システム用サーバ５０を通じ、データベースＤＢに記憶されたデータを読み出す。
【００１８】
データ記憶部１２は、データ取得部１１に接続されている。データ記憶部１２には、データ取得部１１によって、上記のデータベースＤＢから読み出されたデータが記憶される。本実施形態では、データ取得部１１が、データベースＤＢから読み出したデータを日付け毎に分類する処理を実行する。データ取得部１１は、日付け毎に分類したデータを、データ記憶部１２に送信する。データ記憶部１２は、日付けと関連付けて、上記の生産実績データを含む２３種類のデータを記憶する。
【００１９】
さらに、演算処理部１３は、データ記憶部１２に接続されている。演算処理部１３は、データ記憶部１２に記憶されたデータを用い、後述する回帰計算を実行する。加えて、演算処理部１３は、回帰計算によって得られた計算結果から回帰式を導出する。演算処理部１３は、上記の計算結果に関するデータ及び回帰式に関するデータを、データ記憶部１２に送信する。データ記憶部１２は、該計算結果に関するデータ及び回帰式に関するデータを記憶する。
【００２０】
データ提供部１４は、表示制御部１５を備えている。表示制御部１５は、データ記憶部１２と、演算処理部１３と、上記のモデム２０とにそれぞれ接続されている。表示制御部１５は、工場４０内に設置された生産ラインでの消費電力実績値に相当する消費電力実績データ、該生産ラインにおける生産実績量に相当する生産実績データを、データ記憶部１２から読み出すと共に、演算処理部１３から、上記の計算結果に関するデータを受信する。本実施形態では、前記計算結果に関するデータとして、生産ラインでの標準消費電力データ及び目標消費電力データを例示する。表示制御部１５は、前記消費電力実績データ、生産実績データ、標準消費電力データ及び目標消費電力データに応じ、上記のモデム２０及び公衆回線網３０を通じ、生産管理システム用サーバ５０を介し、利用者端末６０に各種の画像信号等を送信する。標準消費電力データとは、生産ラインにおいて標準的に消費することが想定される電力量に相当するものである。
【００２１】
利用者端末６０は、上記の画像信号等を受信すると、後述するように、前記端末６０の画面６５に、生産ラインでの消費電力実績量や目標消費電力量を表示すると共に、該消費電力実績量と該目標消費電力量との差分を表示する。加えて、利用者端末６０は、上記の画像信号に基づいて、前記画面６５に、生産ラインでの生産実績量を表示する。ここでは、利用者端末６０の画面６５には、生産実績量として、工業用製品の部品の生産実績量が表示される。なお、本実施形態では、利用者端末６０は、パーソナルコンピュータによって構成される。
【００２２】
次に、生産ライン稼働状態表示システム１の動作を説明する。生産ライン稼働状態表示システム１では、以下に説明するように、演算処理部１３が、生産ラインの稼働状態に影響を与えると想定される２３種類のデータを用いた回帰計算の結果に基づいて、該生産ラインの目標消費電力データを算出する。
【００２３】
演算処理部１３は、毎日の所定の時刻（本発明の所定の時間の一例。）になると、データ取得部１１へ定期的にデータ取得指令信号を送信する。データ取得指令信号は、データ取得部１１に対し、上記のデータベースＤＢから各種のデータを定期的に読み出すことを指示する信号である。データ取得部１１は、データ取得指令信号を受信すると、モデム２０及び公衆回線網３０を通じ、生産管理システム用サーバ５０に向けて、パスワードを送信する。生産管理システム用サーバ５０は、該サーバ５０に予め設定したパスワードと、データ取得部１１から受信したパスワードとを比較する。そして、生産管理システム用サーバ５０は、両パスワードが一致すると判断した場合に、データベースＤＢから各種のデータを読み出して、該各種のデータを、データ取得部１１に送信する。ここでは、各種のデータとして、データ取得部１１は、上記の生産実績データ、工場内の実測温度データ（平均気温データ、最高気温データ、最低気温データ）、該工場内の実測湿度データ（平均湿度データ、最高湿度データ、最低湿度データ）、予め設定したダミーデータ（曜日判別データ、休日判別データ、週明け平日判別データ、前日休業土日判別データ、大型連休判別データ、連休初日判別データ、連休終日判別データ、夏期判別データ、中間期判別データ、冬期判別データ）、前記生産ラインにおける消費電力実績データを受信する。なお、生産実績データ、実測温度データ、実測湿度データ、ダミーデータは、本発明の稼働支配データの一例である。実測温度データ及び実測湿度データは、本発明の気象データの一例である。夏期判別データ、中間期判別データ及び冬期判別データは、本発明の季節判別データの一例であり、消費電力実績データは、本発明の稼働実績データの一例である。また、前記中間期は、春秋期を意味する。
【００２４】
その後、データ取得部１１は、受信した各データを、データ記憶部１２に送信する。データ記憶部１２は、図３に示すように、各年月日に対応させて、上記の各データを記憶している。図３には、データ記憶部１２に、過去３ヶ月程度（２００７年７月２７日〜２００７年１０月３１日）のデータを記憶した例を示した。
【００２５】
図３中の符号Ｘ１は生産実績データ、符号Ｘ２は平均気温データ、符号Ｘ３は最高気温データ、符号Ｘ４は最低気温データ、符号Ｘ５は平均湿度データ、符号Ｘ６は最高湿度データ、符号Ｘ７は最低湿度データ、符号Ｘ８〜符号Ｘ１４は曜日判別データ、符号Ｘ１５は休日判別データ、符号Ｘ１６は週明け平日判別データ、符号Ｘ１７は前日休業土日判別データ、符号Ｘ１８は大型連休判別データ、符号Ｘ１９は連休初日判別データ、符号Ｘ２０は連休終日判別データ、符号Ｘ２１は夏期判別データ、符号Ｘ２２は中間期判別データ、符号Ｘ２３は冬期判別データ、符号Ｘ２４は消費電力実績データをそれぞれ示す。図示を省略したが、生産実績データＸ１の単位は「個」、各気温データＸ２〜Ｘ４の単位は「℃」、各湿度データＸ５〜Ｘ７の単位は「％」、消費電力実績量データＸ２４の単位は「ｋＷｈ」である。
【００２６】
続いて、演算処理部１３は、下記の４つのパターンに分けて、上記の各データＸ１〜Ｘ２３を用い、各パターンに該当する日付け毎に、説明変数減少法による回帰計算を行って回帰式を導出する。ここでは、過去の消費電力実績データの推移を観察して決定した複数のパターン毎の回帰計算の試行結果に基づき、最適なパターンとして、下記のパターン１〜パターン４を見い出した。
パターン１・・・生産ライン稼働日（下記パターン４を除く。）
パターン２・・・生産ライン稼働停止日
パターン３・・・生産ラインの連続稼働停止日（夏期休暇等）
パターン４・・・日曜日が生産ライン稼働停止日の場合の月曜日
【００２７】
本実施形態では、図３に示した各データＸ１〜Ｘ２３を説明変数、生産ラインの標準消費電力データを被説明変数として、演算処理部１３が、上記の４つのパターン毎に、下記の回帰式を導出した。
［１］パターン１の回帰式
標準消費電力データ＝４２１０２．４６＋｛０．７９３９４×（Ｘ１）｝＋｛３５１．２５３７８×（Ｘ３）｝＋｛２２２．４５５６７×（Ｘ５）｝−｛２１９．６７２８６×（Ｘ６）｝＋｛１９３２．６７１５×（Ｘ２１）｝・・・（１）
ここで、Ｘ１は生産実績データ（以下同じ。）、Ｘ３は最高気温データ、Ｘ５は平均湿度データ（以下同じ。）、Ｘ６は最高湿度データ（以下同じ。）、Ｘ２１は夏期判別データ（以下同じ。）をそれぞれ示す。
［２］パターン２の回帰式
標準消費電力データ＝５５６１１．４１８０３＋｛３．７７７９３×（Ｘ１）｝＋｛２６８０．２４０９５×（Ｘ２）｝−｛１９６３．２３３１６×（Ｘ３）｝−｛１１３１．２０８９１×（Ｘ５）｝＋｛６６７．２１８３５×（Ｘ７）｝＋｛１０５４４．４８５１７×（Ｘ１２）｝＋｛６２３５．５２６３４×（Ｘ１３）｝−｛１１４５３．３００１４×（Ｘ１７）｝・・・（２）
ここで、Ｘ２は平均気温データ、Ｘ７は最低湿度データ（以下同じ。）、Ｘ１２は金曜日判別データ、Ｘ１３は土曜日判別データ、Ｘ１７は前日休業土日判別データをそれぞれ示す。
［３］パターン３の回帰式
標準消費電力データ＝２５４７９．５１４２０＋｛７２．４８３９０×（Ｘ１）｝＋｛１１１６．２５４９０×（Ｘ４）｝−｛３４３．０４８９１×（Ｘ６）｝−｛３８４２．３８４６９×（Ｘ１９）｝−｛１４４９１．３８３２７×（Ｘ２１）｝・・・（３）
ここで、Ｘ４は最低気温データ、Ｘ１９は連休初日判別データをそれぞれ示す。
［４］パターン４の回帰式
標準消費電力データ＝９８２６７．５５５５２−｛１１８５．２０９９８×（Ｘ５）｝＋｛６７０．２８５０３×（Ｘ７）｝−｛３３１５．３４６３０×（Ｘ１６）｝＋｛４１８９．６２２９２×（Ｘ２１）｝・・・（４）
ここで、Ｘ１６は週明け平日判別データを示す。
【００２８】
上記のパターン１〜パターン４においては、上記の各データＸ８〜Ｘ１１、Ｘ１４、Ｘ１５、Ｘ１８、Ｘ２０、Ｘ２２、Ｘ２３が、標準消費電力データの回帰式に表れていない。その理由は、説明変数減少法により、各データＸ１〜Ｘ２３を１つづつ減少させていく回帰計算の過程において、各データＸ８〜Ｘ１１、Ｘ１４、Ｘ１５、Ｘ１８、Ｘ２０、Ｘ２２、Ｘ２３が、標準消費電力データに影響を与える要因になり得ないと判断されたためである。
【００２９】
さらに、演算処理部１３は、上記の標準消費電力データを利用して、生産ラインの目標消費電力データを算出する。本実施形態では、演算処理部１３が、上記の各パターンに該当する日付け毎に、各回帰式（１）ないし（４）によってそれぞれ算出した標準消費電力データから削減目標データを減算する処理を実行する。これにより、演算処理部１３は、各パターンの各日付毎に、目標消費電力データを算出する。削減目標データは、電力量の削減目標率に対応させて定めている。本実施形態では、削減目標率を、標準消費電力量の２パーセントに設定した。なお、演算処理部１３は、本発明のデータ算出部の一例である。また、標準消費電力データは、本発明の稼働標準データの一例であり、目標消費電力データは、本発明の稼働目標データの一例である。
【００３０】
加えて、演算処理部１３は、上記の標準消費電力データ及び目標消費電力データを、データ記憶部１２及び表示制御部１５に送信する。データ記憶部１２は、図３に示すように、各年月日に対応させて、目標消費電力データＸ２５を記憶する。図示しないが、目標消費電力データＸ２５と同様に、標準消費電力データも、各年月日に対応させて、データ記憶部２２に記憶される。なお、目標消費電力データＸ２５及び標準消費電力データの各単位は「ｋＷｈ」である。
【００３１】
その後、表示制御部１５は、データ記憶部１２から生産実績データＸ１（図３参照。）及び消費電力実績データＸ２４（図３参照。）を読み出す。表示制御部１５は、生産実績データＸ１に基づいて、棒グラフデータを含む生産実績画像信号を生成する。表示制御部１５は、消費電力実績データＸ２４に基づいて、消費電力実績量の折れ線グラフのデータを含む消費電力実績画像信号を生成する。さらに、表示制御部１５は、上記の目標消費電力データＸ２５に基づいて、目標消費電力量の折れ線グラフのデータを含む目標消費電力画像信号を生成する。加えて、表示制御部１５は、上記の標準消費電力データに基づいて、標準消費電力量の折れ線グラフのデータを含む標準消費電力画像信号を生成する。生産実績画像信号、消費電力実績画像信号、目標消費電力画像信号及び標準消費電力画像信号には、棒グラフの表示色データや折れ線グラフの表示色データがそれぞれ含まれている。
【００３２】
上記の生産実績画像信号に含まれる生産実績量表示色データにより、上記の生産実績値の棒グラフの表示色が設定される。上記の消費電力実績画像信号に含まれる消費電力実績量表示色データにより、上記の消費電力実績量の折れ線グラフの表示色が設定される。さらに、上記の目標消費電力画像信号に含まれる目標消費電力量表示色データにより、上記の目標消費電力量の折れ線グラフの表示色が設定される。加えて、上記の標準消費電力画像信号に含まれる標準消費電力量表示色データにより、上記の標準消費電力量の折れ線グラフの表示色が設定される。なお、消費電力実績量表示色データは、本発明の稼働実績値表示色データの一例であり、目標消費電力量表示色データは、本発明の稼働目標値表示色データの一例である。また、表示制御部１５は、本発明の表示色データ生成部の一例である。
【００３３】
表示制御部１５は、上記のモデム２０及び公衆回線網３０を通じ、所定のパスワードと共に、生産実績画像信号、消費電力実績画像信号、目標消費電力画像信号及び標準消費電力画像信号を、生産管理システム用サーバ５０に送信する。本実施形態では、表示制御部１５は、上記のデータ取得部１１が各データＸ１〜Ｘ２３を受信して、上記の各画像信号を生成した時期に合わせて定期的に、所定のパスワードと共に、前記各画像信号を、生産管理システム用サーバ５０に送信する。
【００３４】
生産管理システム用サーバ５０は、該サーバ５０に予め設定したパスワードと、前記所定のパスワードとが一致すると判断した場合に、上記の生産実績画像信号、消費電力実績画像信号、目標消費電力画像信号及び標準消費電力画像信号を受信する。
【００３５】
続いて、生産管理システム用サーバ５０は、該サーバ５０が受信した各画像信号を、利用者端末６０に送信する。生産実績画像信号に応じ、例えば、図４に示すように、利用者端末６０の画面６５には、棒グラフによって、１ヶ月（１０月１日〜１０月３１日）に亘る生産ライン（Ｂライン）での部品の生産実績量が表示される。加えて、消費電力実績画像信号、目標消費電力画像信号及び標準消費電力画像信号に応じ、画面６５には、折れ線グラフによって、前記１ヶ月に亘る各日付け毎に、Ｂラインでの消費電力実績量、目標消費電力量及び標準消費電力量が表示される。このとき、各画像信号にそれぞれ含まる表示色データの違いに応じ、画面６５には、異なる表示色によって、生産実績量の棒グラフ、消費電力実績量の折れ線グラフ（図中の一点鎖線参照。）、目標消費電力量の折れ線グラフ（図中の二点鎖線参照。）及び標準消費電力量の折れ線グラフ（図中の破線参照。）がそれぞれ表示される。本実施形態では、生産実績量の棒グラフの表示色を赤色、消費電力実績量の折れ線グラフの表示色を青色、目標消費電力量の折れ線グラフの表示色を緑色、標準消費電力量の折れ線グラフの表示色を黄色とした。
【００３６】
また、表示制御部１５は、上記の１ヶ月に亘り各日付け毎に、消費電力実績データＸ２４と目標消費電力データＸ２５とが一致するか否かを判断する。このとき、表示制御部１５は、消費電力実績データＸ２４と目標消費電力データＸ２５との差分データを算出する。差分データは、消費電力実績データＸ２４と目標消費電力データＸ２５とのずれを示すものである。表示制御部１５は、差分データに応じ、上記の画面６５上において消費電力実績データＸ２４が目標消費電力データＸ２５を上回る領域の座標データを算出する。
【００３７】
その後、表示制御部１５は、上記の座標データに基づいて、差分領域表示制御信号を生成する。差分領域表示制御信号には、消費電力実績データＸ２４が目標消費電力データＸ２５を上回る領域の表示色データや該上回る領域の座標データが含まれる。この表示色データによって、消費電力実績データＸ２４が目標消費電力データＸ２５を上回る領域の表示色が設定される。ここでは、該表示色データにより、消費電力実績データＸ２４が目標消費電力データＸ２５を上回る領域を、上記の消費電力実績量の折れ線グラフの表示色や、上記の目標消費電力量の折れ線グラフの表示色とはそれぞれ異なる色で表示することが可能になる。本実施形態では、表示制御部１５によって、上述した各画像信号を利用者端末６０に送信する方法と同様にして、差分領域表示制御信号が、定期的に利用者端末６０に送信される。その結果として、画面６５においては、消費電力実績量の折れ線グラフが示す値が目標消費電力量の折れ線グラフが示す値を上回る部分の表示色（ピンク色）が、消費電力実績量の折れ線グラフの表示色（青色）や、目標消費電力量の折れ線グラフの表示色（緑色）とは異なる。なお、差分領域表示制御信号に含まれる上記の座標データは、本発明のグラフ表示用データの一例であり、差分領域表示制御信号に含まれる表示色データは、本発明の差分表示色データの一例である。
【００３８】
本実施形態では、上述した回帰式（１）ないし（４）に対し、日を追って、標準消費電力データに影響を与える要因となる各データＸ１等を代入することにより、標準消費電力データを算出する処理が繰り返される。これにより、上記の画面６５には、日を追って、上述したＢラインでの部品の生産実績量、消費電力実績量、目標消費電力量及び標準消費電力量をそれぞれ表示することが可能になる。
【００３９】
＜本実施形態の効果＞
本実施形態の生産ライン稼働状態表示システム１では、生産ライン稼働状態表示用サーバ１０の演算処理部１３が、上記の４つのパターン毎に、公衆回線網３０及びモデム２０を通じてデータ取得部１１により、工場４０から定期的に受信した２３種類のデータ（図３中の各データＸ１〜Ｘ２３）を説明変数とし、生産ラインの標準消費電力データを被説明変数とした各回帰式（１）ないし（４）を導出すると共に、一例として、該回帰式により、１ヶ月（１０月１日〜１０月３１日）に亘る各日付け毎に、生産ラインの標準消費電力データを算出した。これにより、生産ラインにおける部品の生産実績量に関連があると想定した１ヶ月に亘る各種のデータＸ１〜Ｘ２３を考慮した上で、演算処理部１３は、回帰計算により、標準消費電力データを算出する。このため、上記の４つのパターン毎に、回帰計算によって算出された各回帰式（１）ないし（４）は、標準消費電力データに影響を与える各データＸ１〜Ｘ７、Ｘ１２、Ｘ１３、Ｘ１６、Ｘ１７、Ｘ１９、Ｘ２１と、標準消費電力データとの関係を表現したものになる。したがって、演算処理部１３が、各回帰式（１）ないし（４）によって標準消費電力データを算出することにより、生産ラインに即した最適な標準消費電力データを算出することができる。
さらに、演算処理部１３は、標準消費電力データを利用して、生産ラインの目標消費電力量に相当する目標消費電力データＸ２５を算出するため、標準消費電力データと同様に、生産ラインに即した最適な目標消費電力データＸ２５を算出することができる。
加えて、表示制御部１５は、消費電力実績データＸ２４と目標消費電力データＸ２５とのずれを示す差分データに基づいて、モデム２０及び公衆回線網３０を通じ、生産管理システム用サーバ５０を介し、工場４０内の利用者端末６０へ、定期的に、上記の差分領域表示制御信号を送信する。このため、差分領域表示制御信号により、上記の画面６５にグラフ表示された消費電力実績データＸ２４が目標消費電力データＸ２５を上回る領域に応じ、消費電力実績量と目標消費電力量とのずれを一目で判別することが可能になる。したがって、消費電力実績量と目標消費電力量とのずれを判別することにより、該ずれに相当する削減が必要な電力量を定量的に把握することができる。
さらに加えて、上記のように、差分領域表示制御信号によって、削減が必要な稼働量を定量的に把握することができるため、該差分領域表示制御信号が、定期的に上記の利用者端末６０へ送信されることに伴って、削減が必要な電力量を把握することができる差分領域表示制御信号を、工場４０内の利用者端末６０に向けて、継続して提供し続けることが可能になる。
【００４０】
表示制御部１５は、上述したように、利用者端末６０に向けて、差分領域表示制御信号を定期的に送信する。この差分領域表示制御信号は、消費電力実績量の折れ線グラフが示す値が目標消費電力量の折れ線グラフが示す値を上回る部分の表示色（ピンク色）を、消費電力実績量の折れ線グラフの表示色（青色）や、目標消費電力量の折れ線グラフの表示色（緑色）とは異なる表示色に設定する。このため、差分領域表示制御信号を用いることにより、画面６５において、消費電力実績量の折れ線グラフの表示色（青色）や、目標消費電力量の折れ線グラフの表示色（緑色）とは異なる表示色（ピンク色）により、消費電力実績量の折れ線グラフが示す値が目標消費電力量の折れ線グラフが示す値を上回る部分を表示することが可能になる。これにより、上記の上回る部分に特有の表示色（ピンク色）に基づいて、目標消費電力量の折れ線グラフと消費電力実績量の折れ線グラフと上記の上回る部分の内から、該上回る部分を容易に判別することができる。
【００４１】
図４に示すように、表示制御部１５によって、画面６５に、１ヶ月に亘る目標消費電力量と消費電力実績量との差分が、各日付け毎に表示されるため、画面６５に表示された差分に応じ、１ヶ月の間における各日付け毎に、目標消費電力量と消費電力実績量とのずれを確認することができる。このため、該ずれに相当する削減が必要な電力量が日を追って変化する様子を、容易に把握することができる。
【００４２】
また、上述したように、演算処理部１３は、上記の４つのパターンに該当する日付け毎に、標準消費電力データから削減目標データを減算する処理を行うことにより、目標消費電力データＸ２５を算出する。このため、消費電力量の削減目標率を適宜に設定して削減目標データを変更することにより、演算処理部１３が、各日付け毎に、異なる目標消費電力データＸ２５を算出することが可能になる。これにより、各日付け毎の目標消費電力量を一律に同一の値に設定する場合とは異なり、各日付け毎の標準消費電力データに即して、各日付け毎に、目標消費電力量に相当する目標消費電力データＸ２５を変化させることができる。
【００４３】
さらに、表示制御部１５は、公衆回線網３０を通じ、工場４０内の利用者端末６０に向けて、差分領域表示制御信号を送信する。このため、該差分領域表示制御信号を利用者端末６０に向けて送信するために、表示制御部１５と工場４０との間に、専用線を敷設する必要がない。したがって、表示制御部１５と工場４０との間に専用線を敷設する場合に比べて、生産ライン稼働状態表示システム１の構築に必要な費用を低減させることができる。
【００４４】
本発明は、上述した実施形態に限定されるものではなく、発明の趣旨を逸脱しない範囲内において構成の一部を適宜変更して実施することができる。例えば、上述した実施形態とは異なり、生産管理システム用サーバ５０がデータ取得部１１に対して認証データを送信し、データ取得部１１から前記サーバ５０に対して該認証データが送信されたときに、生産管理システム用サーバ５０が、各種のデータＸ１〜Ｘ２３を、データ取得部１１に向けて送信する等の適宜の方法を用いてもよい。
【００４５】
上述した実施形態とは異なり、改ざん防止の措置を施した上述した各種のデータＸ１〜Ｘ２３を、工場４０からデータ取得部１１に向けて、定期的に送信し、データ取得部１１が、定期的にデータＸ１〜Ｘ２３を受信するようにしてもよい。
【００４６】
また、上述した電力量に代えて、利用者端末６０の画面６５には、生産ラインにおいて使用されるガスの量や、生産ラインに設置されたエアシリンダ駆動装置に供給するエアの量が１ヶ月に亘って変化する様子を表示してもよい。これにより、目標消費ガス量に対する消費ガス実績量の差分や、目標消費エア量に対する消費エア実績量の差分を画面６５にそれぞれ表示することができ、削減が必要なガス量や削減が必要なエア量を定量的に把握することができる。また、図４に示すように、画面６５にプルダウンボタン６６を表示し、該プルダウンボタン６６をクリックすることにより、エネルギー種別として、電力とガスとエアとを選択可能にしてもよい。これにより、画面６５に、生産ラインにおいて使用される電力量、ガス量及びエア量が１ヶ月に亘って変化する様子をそれぞれ表示してもよい。さらに、上記の電力量に代えて、画面６５には、エネルギーコスト（例えば、単位を、円／ｋＷｈ、円／ｍ３、円／ＭＪとしたもの。）、各原単位（例えば、エネルギー消費原単位、エネルギーコスト原単位、二酸化炭素排出原単位）、二酸化炭素排出量（例えば、単位を、ｋｇ−ＣＯ２／ｋＷｈ、ｋｇ−ＣＯ２／ｍ３としたもの。）が変化する様子を表示してもよい。加えて、上記の演算処理部１３によって回帰式を導出する際には、上述した４つのパターンに限らず、３つ以下や５つ以上のパターンに分けて、回帰式を導出してもよい。
【００４７】
また、上記のデータ記憶部１２には、過去３ヶ月間の各データＸ１〜Ｘ２５に代えて、過去１年間の各データＸ１〜Ｘ２５を記憶させてもよい。合わせて、図４に示すように、画面６５に表示期間選択ボタン６７〜６９を表示し、該ボタン６７、６８をそれぞれクリックすることにより、電力量が過去１年間や過去３ヶ月間に亘って変化する様子を画面６５に表示してもよい。上記の期間（１年、３ヶ月、１ヶ月）に代えて、画面６５には、２４時間に亘って電力量が変化する様子を、１時間間隔で表示するようにしてもよい。
【００４８】
さらに、上述した実施形態では、目標消費電力データを算出する際に、削減目標率を標準消費電力量の２パーセントに設定したが、該削減目標率を２パーセント以外の適宜の値（例えば３パーセント）に設定し、目標消費電力データを算出してもよい。
【００４９】
加えて、上記のダミーデータとして、夏期判別データＸ２１と共に、サマータイムの実施の有無を識別することが可能なデータを用いてもよい。さらに、夏期判別データ、中間期判別データ及び冬期判別データに代えて、当該月（１月〜１２月）を判別するためのダミーデータを用いてもよい。また、上述した実施形態とは異なり、工場内の実測温度データや実測湿度データに代えて、気象庁によって提供される温度データや湿度データを用いてもよい。さらに、上記のデータベースＤＢに記憶するデータは、２３種類のデータＸ１〜Ｘ２３に限らず、生産ラインにおける部品の生産実績量に関連があると想定される２２種類以下のデータや２４種類以上のデータであってもよい。
【００５０】
さらに加えて、本発明は、工場内に設置された生産ラインにおいて使用される電力量、ガス量及びエア量の削減の診断に適用することに限らず、事務所や住居等の建物において使用される電力量の削減の診断や該建物において使用されるガス量の削減の診断に適用することも可能である。また、上記のような電力量、ガス量及びエア量の削減の診断に限らず、本発明を、例えば、工場内に設置されたボイラー設備において使用する石油燃料の削減の診断、部品の洗浄工程や工場内に設置された暖房設備においてそれぞれ使用される温水の削減の診断及び工場内に設置された冷却設備において使用される冷水の削減の診断、部品の洗浄工程において使用する温水を所定の温度に保つために加熱する際等に使用される蒸気量の削減の診断にそれぞれ適用することも可能である。
【図面の簡単な説明】
【００５１】
【図１】本発明の実施形態の生産ライン稼働状態表示システムの概略構成図である。
【図２】生産ライン稼働状態表示用サーバの概略構成図である。
【図３】生産ライン稼働状態表示用サーバに記憶されたデータ構造の説明図である。
【図４】日付けに対する電力量及び生産実績量の変化を示すグラフである。
【符号の説明】
【００５２】
１・・生産ライン稼働状態表示システム、１１・・データ取得部、１３・・演算処理部、１４・・データ提供部、１５・・表示制御部、３０・・公衆回線網、４０・・工場、Ｘ１・・生産実績データ、Ｘ２・・平均気温データ、Ｘ３・・最高気温データ、Ｘ４・・最低気温データ、Ｘ５・・平均湿度データ、Ｘ６・・最高湿度データ、Ｘ７・・最低湿度データ、Ｘ８〜Ｘ１４・・曜日判別データ、Ｘ１５・・休日判別データ、Ｘ１６・・週明け平日判別データ、Ｘ１７・・前日休業土日判別データ、Ｘ１８・・大型連休判別データ、Ｘ１９・・連休初日判別データ、Ｘ２０・・連休終日判別データ、Ｘ２１・・夏期判別データ、Ｘ２２・・中間期判別データ、Ｘ２３・・冬期判別データ、Ｘ２４・・消費電力実績データ、Ｘ２５・・目標消費電力データ
【図１】
2010108092.tif 000003
【図２】
2010108092.tif 000004
【図３】
2010108092.tif 000005
【図４】
2010108092.tif 000006